(57)【要約】【課題】撮像装置の動作を実行させながら回路から発生するノイズによる測位精度への悪影響を防止することを目的とする。【解決手段】位置情報を取得して測位する測位手段と、該撮像装置における処理をそれぞれ行うと共に前記測位手段の測位を阻害するノイズを発生する複数の回路と、を有する撮像装置であって、該撮像装置の所定の動作に応じて前記回路が処理を行うときに発生するノイズ周波数およびノイズレベルに基づいて、前記複数の回路から前記測位手段の測位を阻害するノイズを発生する回路を判別するノイズ発生回路判別手段と、前記ノイズ発生回路判別手段による判別の結果に基づいて、前記ノイズを発生する回路に対して前記測位手段の測位を阻害するノイズを発生させないように制御する制御手段とを有する。【選択図】図２
2013048345.tif 000002
【特許請求の範囲】
【請求項１】
位置情報を取得して測位する測位手段と、
該撮像装置における処理をそれぞれ行うと共に前記測位手段の測位を阻害するノイズを発生する複数の回路と、を有する撮像装置であって、
該撮像装置の所定の動作に応じて前記回路が処理を行うときに発生するノイズ周波数およびノイズレベルに基づいて、前記複数の回路から前記測位手段の測位を阻害するノイズを発生する回路を判別するノイズ発生回路判別手段と、
前記ノイズ発生回路判別手段による判別の結果に基づいて、前記ノイズを発生する回路に対して前記測位手段の測位を阻害するノイズを発生させないように制御する制御手段とを有することを特徴とする撮像装置。
【請求項２】
該撮像装置が所定の動作を行うときに発生する、前記複数の回路毎のノイズ周波数を記録するノイズ周波数記録手段と、
該撮像装置が所定の動作を行うときに発生する、前記複数の回路毎のノイズレベルを記録するノイズレベル記録手段と、
前記ノイズ周波数記録手段に記録されているノイズ周波数と、前記測位手段の測位を阻害する予め定められた周波数範囲とを比較するノイズ周波数比較手段と、
前記ノイズレベル記録手段に記録されているノイズレベルと、前記測位手段の測位を阻害する予め定められたノイズレベルとを比較するノイズレベル比較手段と、を有し、
前記ノイズ発生回路判別手段は、前記ノイズ周波数比較手段および前記ノイズレベル比較手段による比較の結果に基づいて、前記測位手段の測位を阻害するノイズを発生する回路を判別することを特徴とする請求項１に記載の撮像装置。
【請求項３】
前記ノイズ周波数比較手段は、前記ノイズ周波数記録手段に記録されているノイズ周波数に基づいて、前記測位手段の測位を阻害する予め定められた周波数範囲のノイズが発生しているかを検出し、
前記ノイズレベル比較手段は、前記ノイズレベル記録手段に記録されているノイズレベルに基づいて、前記測位手段の測位を阻害する予め定められたレベルのノイズが発生しているかを検出することを特徴とする請求項２に記載の撮像装置。
【請求項４】
該撮像装置が所定の動作を行うときに発生する、前記複数の回路毎のノイズ周波数を記録するノイズ周波数記録手段と、
該撮像装置が所定の動作を行うときに発生する、前記複数の回路毎のノイズレベルを記録するノイズレベル記録手段と、
前記測位手段により測位される測位信号の周波数と、前記ノイズ周波数記録手段に記録されているノイズ周波数とを比較するノイズ周波数比較手段と、
前記測位手段により測位される測位信号のレベルと、前記ノイズレベル記録手段に記録されているノイズレベルとを比較するノイズレベル比較手段と、を有し、
前記ノイズ発生回路判別手段は、前記ノイズ周波数比較手段および前記ノイズレベル比較手段による比較の結果に基づいて、前記測位手段の測位を阻害するノイズを発生する回路を判別することを特徴とする請求項１に記載の撮像装置。
【請求項５】
前記ノイズ周波数比較手段は、前記測位手段により測位される測位信号を阻害する周波数のノイズが発生しているかを検出し、
前記ノイズレベル比較手段は、前記測位手段により測位される測位信号を阻害するレベルのノイズが発生しているかを検出することを特徴とする請求項４に記載の撮像装置。
【請求項６】
前記制御手段は、前記測位手段の測位を阻害するノイズを発生する回路の動作を停止させることを特徴とする請求項１乃至５の何れか１項に記載の撮像装置。
【請求項７】
前記ノイズ発生回路判別手段によって前記測位手段の測位を阻害するノイズを発生する回路が複数、判別された場合、
前記制御手段は、該撮像装置の所定の動作を優先させるように、前記測位手段の測位を阻害するノイズを発生する回路の動作を停止させることを特徴とする請求項１乃至５の何れか１項に記載の撮像装置。
【請求項８】
前記制御手段は、動作を停止させた回路の機能を、他に代用させることを特徴とする請求項６または７に記載の撮像装置。
【請求項９】
前記複数の回路の動作クロック周波数を制御するクロック周波数制御手段を有し、
前記制御手段は、前記クロック周波数制御手段を介して前記測位手段の測位を阻害するノイズを発生する回路の動作クロック周波数を変更することを特徴とする請求項１乃至５の何れか１項に記載に撮像装置。
【請求項１０】
前記複数の回路の動作クロック周波数を制御するクロック周波数制御手段を有し、
前記ノイズ発生回路判別手段によって前記測位手段の測位を阻害するノイズを発生する回路が複数、判別された場合、
前記制御手段は、該撮像装置の所定の動作を優先させるように、前記クロック周波数制御手段を介して前記測位手段の測位を阻害するノイズを発生する回路の動作クロック周波数を変更することを特徴とする請求項１乃至５の何れか１項に記載の撮像装置。
【請求項１１】
前記複数の回路は、
被写体を示す画像光を撮像素子の受光面に結像し、前記撮像素子の受光面に結像された画像光を画像信号に変換する撮像回路、
前記画像信号および前記位置情報を記録媒体に記録する記録回路、
前記画像信号あるいは前記記録回路に記録した画像を表示する表示回路、
ストロボの充電および発光を行うストロボ回路、
ズーム動作、フォーカス動作および絞り動作を制御する鏡筒駆動回路および
バッテリから供給された電圧を各回路が必要とする電圧に変換する電源回路の少なくとも何れかの回路を含むことを特徴とする請求項１乃至１０の何れか１項に記載の撮像装置。
【請求項１２】
位置情報を取得して測位する測位手段と、
該撮像装置における処理をそれぞれ行うと共に前記測位手段の測位を阻害するノイズを発生する複数の回路と、を有する撮像装置の制御方法であって、
該撮像装置の所定の動作に応じて前記回路が処理を行うときに発生するノイズ周波数およびノイズレベルに基づいて、前記複数の回路から前記測位手段の測位を阻害するノイズを発生する回路を判別するノイズ発生回路判別ステップと、
前記ノイズ発生回路判別ステップによる判別の結果に基づいて、前記ノイズを発生する回路に対して前記測位手段の測位を阻害するノイズを発生させないように制御する制御ステップとを有することを特徴とする制御方法。
【請求項１３】
位置情報を取得して測位する測位手段と、
該撮像装置における処理をそれぞれ行うと共に前記測位手段の測位を阻害するノイズを発生する複数の回路と、を有する撮像装置を制御するためのプログラムであって、
該撮像装置の所定の動作に応じて前記回路が処理を行うときに発生するノイズ周波数およびノイズレベルに基づいて、前記複数の回路から前記測位手段の測位を阻害するノイズを発生する回路を判別するノイズ発生回路判別ステップと、
前記ノイズ発生回路判別ステップによる判別の結果に基づいて、前記ノイズを発生する回路に対して前記測位手段の測位を阻害するノイズを発生させないように制御する制御ステップとをコンピュータに実行させるためのプログラム。
【発明の詳細な説明】
【技術分野】
【０００１】
本発明は撮像装置に関し、特にＧＰＳ（Ｇｌｏｂａｌ  Ｐｏｓｉｔｉｏｎｉｎｇ  Ｓｙｓｔｅｍ）により測位した撮影時の位置情報を撮影画像と共に記録媒体に記録する撮像装置に関する。
【背景技術】
【０００２】
ＧＰＳは多数の移動衛星からの電波を受信することによって、地球上の任意の位置で受信点の３次元位置（緯度、経度など）を測定することのできる測位システムである。従来、ＧＰＳ装置をカメラに接続（内蔵）し、ＧＰＳ装置によって測位した位置情報を撮影画像と共に記録媒体に記録するシステムが特許文献１および２に開示されている。このようなシステムによれば撮影画像を再生する際に、ＧＰＳ装置によって測定された位置情報を参照して撮影画像の撮影場所を知ることができ、また、撮影場所により所望の撮影画像を検索することができる。
【０００３】
しかしながら、ＧＰＳ装置を撮像装置に接続した場合、撮像装置の撮像回路などからはノイズや不要幅射が発生する。特に、撮像素子であるＣＣＤセンサを駆動するための高速クロックによるノイズが接続ラインを伝わってＧＰＳ装置に入り込み、ＧＰＳ装置の誤動作を引き起こしたり、測位精度に悪影響を与えたりするという問題があった。
【０００４】
そこで、特許文献３にはＧＰＳが記録すべき位置情報の測位を実行している間は、撮影画像をデジタルの画像信号に変換するＣＣＤセンサなどを含む撮像回路と、画像信号を記録するための記録回路への電源の供給を停止させるようにする。また、液晶モニタをビューファインダとして使用している場合、ストロボの充電を行っている場合も同様にこれらの動作を停止させるようにする。
【先行技術文献】
【特許文献】
【０００５】
【特許文献１】特開平４−７０７２４号公報
【特許文献２】特開平４−３４７９７７号公報
【特許文献３】特開平１０−２７１３７５号公報
【発明の概要】
【発明が解決しようとする課題】
【０００６】
しかしながら、特許文献３に開示されている技術では、ユーザはＧＰＳが位置情報の測位を実行している間は、いかなる状況においても撮影や液晶モニタの表示を行うことができない。従って、ＧＰＳが位置情報の測位を実行している期間に撮影のチャンスを逃したり、記録画像の再生を楽しんだりすることができないという問題があった。
【０００７】
本発明は、上述したような問題点に鑑みてなされたものであり、位置情報を測位する撮像装置において、撮像装置の動作を実行させながら回路から発生するノイズによる測位精度への悪影響を防止することを目的とする。
【課題を解決するための手段】
【０００８】
本発明は、位置情報を取得して測位する測位手段と、該撮像装置における処理をそれぞれ行うと共に前記測位手段の測位を阻害するノイズを発生する複数の回路と、を有する撮像装置であって、該撮像装置の所定の動作に応じて前記回路が処理を行うときに発生するノイズ周波数およびノイズレベルに基づいて、前記複数の回路から前記測位手段の測位を阻害するノイズを発生する回路を判別するノイズ発生回路判別手段と、前記ノイズ発生回路判別手段による判別の結果に基づいて、前記ノイズを発生する回路に対して前記測位手段の測位を阻害するノイズを発生させないように制御する制御手段とを有する。
【発明の効果】
【０００９】
本発明によれば、位置情報を測位する撮像装置において、撮像装置の動作を実行させながら回路から発生するノイズによる測位精度への悪影響を防止することができる。
【図面の簡単な説明】
【００１０】
【図１】第１の実施形態の撮像装置の構成を示すブロック図である。
【図２】第１の実施形態の撮像装置の動作を示すフローチャートである。
【図３】ノイズ周波数パターンの一例を示す図である。
【図４】第２の実施形態の撮像装置の構成を示すブロック図である。
【図５】第２の実施形態の撮像装置の動作を示すフローチャートである。
【図６】第３の実施形態の撮像装置の構成を示すブロック図である。
【図７】第３の実施形態の撮像装置の動作を示すフローチャートである。
【発明を実施するための形態】
【００１１】
以下、本発明に係る実施形態について図面を参照して説明する。
＜第１の実施形態＞
図１は、第１の実施形態に係る撮像装置１００のブロック図である。
撮像装置１００は、測位部１、撮像回路２、記録回路３、表示回路４、ストロボ回路５、鏡筒駆動回路６、電源回路７、ノイズ周波数記録メモリ８、ノイズ周波数比較部１５、ノイズレベル記録メモリ９、ノイズレベル比較部１６を有している。また、撮像装置１００は、ノイズ発生回路判別部１０、所定値メモリ１８、ＣＰＵ１１、メモリ１２、警告部１３、操作部１４を有している。撮像回路２、記録回路３、表示回路４、ストロボ回路５、鏡筒駆動回路６および電源回路７などは、撮像装置１００における処理をそれぞれ機能毎に分担して行っている。
【００１２】
測位部１は、複数の移動衛星から位置情報としての測位信号を受信することで測位を行う。撮像回路２は、被写体を示す画像光を撮像素子の受光面に結像し、撮像素子の受光面に結像された画像光を画像信号に変換する。記録回路３は、画像信号および測位信号を記録媒体に記録する。表示回路４は、画像信号あるいは記録回路３に記録した画像を表示する。ストロボ回路５は、ストロボの充電および発光を行う。鏡筒駆動回路６は、ズーム動作、フォーカス動作および絞り動作を制御する。電源回路７は、バッテリから供給された電圧を該撮像装置１００が必要とする電圧に変換する。
【００１３】
ノイズ周波数記録メモリ８は、撮像回路２、記録回路３、表示回路４、ストロボ回路５および鏡筒駆動回路６が動作するときのノイズ周波数、具体的には単一または複数のノイズ周波数（ノイズ周波数パターン）を記録している。ノイズ周波数比較部１５は、予め定められた測位信号を阻害する周波数範囲とノイズ周波数記録メモリ８に記録されているノイズ周波数とを比較する。ここで、測位信号を阻害するとは、換言すると、測位部１による測位を阻害することを意味する。
ノイズレベル記録メモリ９は、撮像回路２、記録回路３、表示回路４、ストロボ回路５および鏡筒駆動回路６が動作するときのノイズレベル、具体的には単一または複数の周波数のノイズの大きさ（ノイズレベルパターン）を記録している。ノイズレベル比較部１６は、予め定められた測位信号を阻害する周波数レベルとノイズレベル記録メモリ９に記録されているノイズレベルとを比較する。
【００１４】
ノイズ発生回路判別部１０は、測位部１の測位を阻害する回路を判別する。所定値メモリ１８は、予め定められた測位信号を阻害する周波数範囲およびノイズレベルの所定値を記録する。ＣＰＵ１１は、いわゆるコンピュータであって撮像装置１００全体を制御する。メモリ１２は撮像装置１００を制御するためのプログラムが格納される。警告部１３は、ユーザに回路動作停止を警告する。操作部１４は、ユーザが撮像装置１００に対して操作を入力するためのものである。
【００１５】
第１の実施形態の動作について図２に示すフローチャートを参照して説明する。
まず、ステップＳ１では、ユーザによる操作部１４を介した操作に応じて測位部１は測位の設定をオンにする。
ステップＳ２では、ＣＰＵ１１は、撮像回路２、記録回路３、表示回路４、ストロボ回路５および鏡筒駆動回路６がそれぞれ動作を行っているか否かをノイズ発生回路判別部１０に通知する。ノイズ発生回路判別部１０は動作を行っている回路を検出し、ノイズ周波数比較部１５およびノイズレベル比較部１６は動作を行っている回路の情報をノイズ発生回路判別部１０から取得する。ノイズ周波数比較部１５は動作を行っている回路のノイズ周波数、即ちノイズ周波数パターンをノイズ周波数記録メモリ８から読み込みを行う。また、ノイズレベル比較部１６は動作を行っている回路のノイズレベル、すなわちノイズレベルパターンをノイズレベル記録メモリ９から読み込みを行う。
【００１６】
ノイズ周波数記録メモリ８に記録されている回路毎のノイズ周波数パターンの一例を図３に示す。図３（ａ）は、撮像回路２の動作時におけるノイズ周波数パターンである。図３（ｂ）は、鏡筒駆動回路６の動作時におけるノイズ周波数パターンである。図３（ｃ）は、記録回路３および鏡筒駆動回路６の動作時におけるノイズ周波数パターンである。
ノイズ周波数記録メモリ８およびノイズレベル記録メモリ９には、撮像回路２、記録回路３、表示回路４、ストロボ回路５および鏡筒駆動回路６を単一で動作させたときのノイズデータ以外にも、メモリ１２に記録された撮像装置１００の駆動パターンに応じたノイズデータも記録されている。
【００１７】
ステップＳ３では、ノイズ周波数比較部１５は、所定値メモリ１８の予め定められた測位信号を阻害する周波数範囲と、ノイズ周波数記録メモリ８から読み込んだ、動作を行っている回路のノイズ周波数、具体的にはノイズ周波数パターンとの比較を行う。また、ノイズレベル比較部１６は、所定値メモリ１８の予め定められた測位信号を阻害する周波数レベルと、ノイズレベル記録メモリ９から読み込んだ、動作を行っている回路のノイズレベル、具体的にはノイズレベルパターンとの比較を行う。
ステップＳ３による比較を行った結果、測位信号を阻害するノイズ周波数およびノイズレベルのノイズが発生していないと判断された場合、ステップＳ４に進む。
ステップＳ４では、測位部１は測位を開始する。ステップＳ５では、ＣＰＵ１１は測位部１が受信した位置情報を示す測位信号を記録回路３に記録する。
【００１８】
一方、ステップＳ３による比較を行った結果、測位信号を阻害するノイズ周波数およびノイズレベルのノイズが発生していると判断された場合、ステップＳ６に進む。
ステップＳ６では、ノイズ発生回路判別部１０は、測位信号を阻害するノイズ周波数あるいはノイズレベルの要因となっている回路の判別を行う。
ステップＳ７では、警告部１３はユーザに測位信号を阻害する回路の駆動を停止する旨の警告を行う。
【００１９】
ステップＳ８では、ＣＰＵ１１は測位信号を阻害する回路の駆動を停止する。
ここで、測位信号を阻害する回路の駆動停止に関して上述した図３に示すノイズ周波数記録メモリ８に記録されているノイズ周波数パターンの一例を参照して説明する。
ここで、ユーザによる操作部１４を介した選択により、測位部１による測位信号の取得を最優先するモードが選択されているとする。このとき、図３（ａ）に示すノイズ周波数パターンのような、撮像回路２、記録回路３、表示回路４、ストロボ回路５あるいは鏡筒駆動回路６の単一動作によって測位信号を阻害する場合、ＣＰＵ１１は測位信号を阻害する回路を停止すれば良い。
【００２０】
また、図３（ｃ）に示すように撮像回路２、記録回路３、表示回路４、ストロボ回路５あるいは鏡筒駆動回路６の複数の動作によって測位を阻害しているとする。この場合、ＣＰＵ１１は、所定値メモリ１８に記録された予め定められた測位信号を阻害する周波数範囲および所定値メモリ１８に記録された予め定められた測位信号を阻害するノイズレベルとならないように、主要因となっている回路動作のみを停止してもよい。なお、ＣＰＵ１１は阻害している回路全ての動作を停止してもよい。
【００２１】
一方、ユーザによる操作部１４を介した選択により、測位部１による測位信号の取得よりも、被写体の撮影を最優先するモードが選択されているとする。この場合、ＣＰＵ１１は測位信号を阻害する要因となっていて、被写体の撮影に影響の少ない回路動作を停止する。例えば、図３（ｃ）に示すノイズ周波数パターンの場合、被写体の撮影後に記録回路３への撮影画像の記録は避けられないため、ＣＰＵ１１は記録回路３への撮影画像の記録時には鏡筒駆動回路６の動作を停止するように制御する。すなわち、ＣＰＵ１１は撮像装置１００の動作を優先するように、予め定められた順序で各回路の動作を停止する。
【００２２】
停止した回路機能を代用できる手段がある場合は、ＣＰＵ１１はメモリ１２内にプログラムを格納しておき、測位信号を阻害する回路の駆動を停止した後、実行してもよい。例えば、ＣＰＵ１１は鏡筒駆動回路６の駆動停止を撮像回路２の電子ズームで代用する。あるいはＣＰＵ１１はストロボ回路５の駆動停止を撮像回路２のゲインを上げることにより代用するなどである。
【００２３】
次に、ステップＳ９では、測位部１は測位を開始する。ステップ１０では、ＣＰＵ１１は測位部１が受信した位置情報を示す測位信号を記録回路３に記録する。
このように、本実施形態によれば、測位信号を阻害する回路の動作のみを停止するため、測位を行っている間のノイズによる測位精度への悪影響を防止できる共に、撮影や液晶モニタの表示といった撮像装置１００の動作が実行できる機会を増やすことができる。
【００２４】
＜第２の実施形態＞
次に、第２の実施形態に係る撮像装置２００について説明する。図４は、第２の実施形態に係る撮像装置２００のブロック図である。なお、符号１から符号１４までは、第１の実施形態と同一であり、その説明を省略する。
撮像装置２００は、ノイズ周波数比較部１５、ノイズレベル比較部１６を有している。ノイズ周波数比較部１５は、測位部１により測位された測位信号の周波数とノイズ周波数記録メモリ８に記録されているノイズ周波数とを比較する。ノイズレベル比較部１６は、は測位部１により測位された測位信号のレベルとノイズレベル記録メモリ９に記録されているノイズレベルとを比較する。
【００２５】
第２の実施形態の動作について図５に示すフローチャートを参照して説明する。
まず、ステップＳ１１では、ユーザによる操作部１４を介して操作に応じて測位部１は測位の設定をオンにする。
ステップＳ１２では、測位部１は測位を開始する。
ステップＳ１３では、ＣＰＵ１１は測位部１が測位を行っている間、撮像回路２、記録回路３、表示回路４、ストロボ回路５および鏡筒駆動回路６がそれぞれ動作を行っているか否かをノイズ発生回路判別部１０に通知する。ノイズ発生回路判別部１０は動作を行っている回路を検出し、ノイズ周波数比較部１５およびノイズレベル比較部１６は動作を行っている回路の情報をノイズ発生回路判別部１０から取得する。
【００２６】
ステップＳ１４では、ノイズ周波数比較部１５は、ノイズ発生回路判別部１０に通知された測位期間中に動作を行っている回路のノイズ周波数パターンをノイズ周波数記録メモリ８から読み込み、測位部１により受信された測位信号の周波数と比較を行う。具体的には、ノイズ周波数比較部１５は、測位期間中に動作を行っている回路のノイズ周波数パターンに、測位信号の周波数が存在するか否かを判断することで、測位信号を阻害するノイズが発生しているか否かを判断する。
比較を行った結果、測位信号を阻害するノイズ周波数が発生していないと判断された場合、ステップＳ１５に進む。ステップＳ１５では、ＣＰＵ１１は測位部１が受信した測位信号を記録回路３に記録する。
【００２７】
一方、測位信号を阻害するノイズ周波数が発生していると判断された場合、ステップＳ１６に進む。ステップＳ１６では、ノイズレベル比較部１６は、ノイズ発生回路判別部１０に通知された測位期間中に動作を行っている回路のノイズレベルパターンをノイズレベル記録メモリ９から読み込み、測位部１により受信された測位信号のレベルと比較を行う。具体的には、ノイズレベル比較部１６は、測位信号のレベルに対するノイズレベルの比（測位信号のレベル／ノイズレベル）がノイズ発生回路判別部１０に記録された予め定められた値よりも大きいか否かを判断する。
比較を行った結果、測位信号に対するノイズレベルの比が予め定められた値よりも大きい場合、測位信号を阻害するノイズレベルが存在しないと判断され、ステップＳ１７に進む。ステップＳ１７では、ＣＰＵ１１は測位部１が受信した測位信号を記録回路３に記録する。
【００２８】
一方、比較を行った結果、測位信号に対するノイズレベルの比がノイズ発生回路判別部１０に記録された予め定められた値以下の場合、測位信号を阻害するノイズレベルが存在すると判断され、ステップＳ１８に進む。
ステップＳ１８では、ノイズ発生回路判別部１０は、測位信号を阻害するノイズレベルの発生源となっている回路の判別を行う。
以下、図５に示すようにステップＳ１９〜Ｓ２２の順序で動作が進められる。これらの順序および動作内容は第１の実施形態で説明した図２に示すステップＳ７〜ステップＳ１０と同様であるため、説明を省略する。
【００２９】
このように、本実施形態によれば、測位部１により受信した測位信号の周波数および測位信号のレベルと、測位部１の測位期間中に動作を行っている回路のノイズ周波数およびノイズレベルとを比較する。そして、測位を阻害している場合にのみ、阻害している回路の動作のみ停止させるため、第１の実施形態よりも測位を行える機会およびエリアを拡大することができる。
【００３０】
＜第３の実施形態＞
次に、第３の実施形態に係る撮像装置３００について説明する。図６は、第３の実施形態に係る撮像装置３００の示すブロック図である。なお、符号１から符号１６までは、第１の実施形態あるいは第２の実施形態と同様のため、その説明を省略する。
撮像装置３００は、クロック周波数制御回路１７を有している。クロック周波数制御回路１７は、撮像回路２、記録回路３、表示回路４、ストロボ回路５および鏡筒駆動回路６のそれぞれの動作クロック周波数を制御する。
【００３１】
第３の実施形態の動作について図７に示すフローチャートを参照して説明する。
図７に示すステップＳ１１〜Ｓ１９、Ｓ２１〜Ｓ２２は第２の実施形態と同様のため説明を省略する。
ステップＳ３０では、クロック周波数制御回路１７は、ステップＳ１８においてノイズ発生回路判別部１０で判別された測位信号を阻害する回路の動作クロック周波数を変更する。ここでクロック周波数制御回路１７により変更される周波数は、ノイズ発生回路判別部１０に記録された予め定められた測位信号を阻害する周波数範囲以外の周波数である。
ステップＳ２１では、測位部１は再度、測位を開始する。
ステップＳ２２では、ＣＰＵ１１は、受信された測位信号を記録回路３に記録する。
【００３２】
このように、第３の実施形態によれば、阻害する回路の動作クロック周波数を測位信号を阻害しない周波数に変更するため、撮影や液晶モニタの表示といった撮像装置３００の動作を実行しながらでも精度よく測位を行うことができる。
なお、ノイズが発生している回路が複数判別された場合、クロック周波数制御回路１７は、撮像装置３００の動作を優先するように、予め定められた順序で測位信号を阻害するノイズが発生している回路の動作クロック周波数を変更してもよい。ノイズが発生している回路が複数ある場合、一度に複数の動作クロック周波数を変更する処理が困難なためである。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。例えば、第３の実施形態は、第２の実施形態の図５に示すステップＳ２０をステップＳ３０に入れ替えた場合について説明した。この場合に限られず、第１の実施形態の図２に示すステップＳ８をステップＳ３０に入れ替えてもよい。
【００３４】
上述した本発明の実施形態における撮像装置を構成する各手段、並びに制御方法の各ステップは、メモリに記憶されたプログラムが動作することによって実現できる。このプログラムおよびこのプログラムを記録したコンピュータ読み取り可能な記録媒体は本発明に含まれる。
【符号の説明】
【００３５】
１：測位部  ２：撮像回路  ３：記録回路  ４：表示回路  ５：ストロボ回路  ６：鏡筒駆動回路  ７：電源回路  ８：ノイズ周波数記録メモリ  ９：ノイズレベル記録メモリ  １０：ノイズ発生回路判別部  １１：ＣＰＵ  １２：メモリ  １３：警告部  １４：操作部  １５：ノイズ周波数比較部  １６：ノイズレベル比較部  １７：クロック周波数制御回路  １８：所定値メモリ
【図１】
2013048345.tif 000003
【図２】
2013048345.tif 000004
【図３】
2013048345.tif 000005
【図４】
2013048345.tif 000006
【図５】
2013048345.tif 000007
【図６】
2013048345.tif 000008
【図７】
2013048345.tif 000009